(57)【要約】【課題】環境に優しく、フレームと表示紙の固定にあたり強固に保持されるとともにフレームから表示紙の脱着が容易で、組み立てや使用にあたり遊び心を刺激する保持板を提供する。【解決手段】一枚の板紙（２）と少なくとも一枚の表示紙（３）から成る。板紙から一対の脚板（２１）と一対の腕板（２６）を切り抜き形成する。板紙の残余をフレーム（６）とし、フレームは、一対の脚支持溝（６５、６６）、右腕支持溝（６５）と左腕支持溝（６８）を持つ。脚板（２１）は脚固定溝（２２）と下辺係止部（２３）を持つ。腕板（２６）は腕固定溝（２７）と上辺係止部（２８）を持つ。一対の脚支持溝に一対の脚板の脚固定溝をそれぞれ差し込んで、下辺係止部をフレームの表側に位置付け、右腕支持溝と左腕支持溝に一対の腕板の腕固定溝をそれぞれ差し込んで、上辺係止部を前記フレームの表側に位置付ける。一対の下辺係止部と一対の上辺係止部に表示紙を係止する。【選択図】図１
2010194234.tif 000002
【特許請求の範囲】
【請求項１】
フレームを用いて表示紙を起立状態に保持する保持板において、
一枚の板紙と少なくとも一枚の表示紙から成り、
前記板紙は四の端辺に囲まれ、
前記表示紙は四の辺に囲まれ、
前記板紙から、一対の脚板と一対の腕板を切り抜き形成し、前記切り抜きは前記板紙の四の端辺を残して行われ、
前記板紙の残余をフレームとし、
前記フレームは、下端辺から上方向に向かう幅狭切り抜きである一対の脚支持溝と、
その上端辺の中央点よりも右側の上端辺から右下方向に向かう幅狭切り抜きである右腕支持溝と、
その上端辺の中央点よりも左側の上端辺から左下方向に向かう幅狭切り抜きである左腕支持溝を持ち、
脚板は周縁から内側方向にＬ字形に切り抜かれていて、前記Ｌ字形の縦線部分は脚固定溝であり、前記Ｌ字形の横線部分は下辺係止部であり、
腕板は周縁から内側方向にＬ字形に切り抜かれていて、前記Ｌ字形の縦線部分は腕固定溝であり、前記Ｌ字形の横線部分は上辺係止部であり、
前記一対の脚支持溝に前記一対の脚板の脚固定溝をそれぞれ差し込んで、前記脚板の平面が前記フレームの表裏方向と交差する状態に保持し、かつ、前記下辺係止部を前記フレームの表側に位置付け、
前記右腕支持溝と前記左腕支持溝に一対の腕板の腕固定溝をそれぞれ差し込んで、前記腕板の平面が前記フレームの表裏方向と交差する状態に保持し、かつ、前記上辺係止部を前記フレームの表側に位置付け、
前記一対の下辺係止部と一対の上辺係止部に前記表示紙の下辺と上辺を係止した保持板。
【請求項２】
前記一対の下辺係止部を結ぶ下辺仮想線と前記一対の上辺係止部を結ぶ上辺仮想線の間隔をｉとし、前記表示紙板の縦長さをｋとしたとき、ｉとｋが式（１）の関係を満足する請求項１に記載した保持板。
１．０２≦ｋ／ｉ≦１．０５        式（１）
【請求項３】
前記腕板の外形が円形である請求項１乃至２いずれかに記載した保持板。
【請求項４】
前記板紙が矩形であり、前記表示紙が矩形である請求項１乃至３いずれかに記載した保持板。
【請求項５】
表示紙を起立状態に保持する保持板の組立て部品であるフレーム、脚板と腕板を提供する板紙において、
四の端辺に囲まれた一枚の板紙からなり、
前記板紙は、下端辺から上方向に向かう幅狭切り抜きである一対の脚支持溝と、
その上端辺の中央点よりも右側の上端辺から右下方向に向かう幅狭切り抜きである右腕支持溝と、
その上端辺の中央点よりも左側の上端辺から左下方向に向かう幅狭切り抜きである左腕支持溝を持ち、
前記板紙の四の端辺を残して、一対の脚板の輪郭線である切り抜き加工線と一対の腕板の輪郭線である切り抜き加工線を形成し、前記切抜き加工線はその一部に非切断部分を有し、
前記脚板は周縁から内側方向にＬ字形に切り抜かれていて、前記Ｌ字形の縦線部分は前記脚支持溝と嵌合する脚固定溝であり、前記Ｌ字形の横線部分は下辺係止部であり、
前記腕板は周縁から内側方向にＬ字形に切り抜かれていて、前記Ｌ字形の縦線部分は前記右腕支持溝又は左腕支持溝と嵌合する腕固定溝であり、前記Ｌ字形の横線部分は上辺係止部であり、
前記非切断部分を切り離して一対の脚板と一対の腕板を得て、さらに板紙の残余部分であるフレームを得て、前記フレーム、一対の前記脚板と一対の前記腕板を組み立てることにより、一対の前記下辺係止部と一対の前記上辺係止部からなる表示紙保持部分を提供することを特徴とする板紙。
【請求項６】
前記板紙が矩形である請求項５に記載した板紙。
【発明の詳細な説明】
【技術分野】
【０００１】
本発明は、カレンダや絵はがきなどのカードに代表される表示紙を起立状態に載置する保持板に関するものである。
【背景技術】
【０００２】
従来の保持板は、樹脂板などで作られた長矩形状の扁平な筐体の裏面に、立て掛け片を形成したものがある。当該筐体はカードを収納するカード保持体である。当該立て掛け片を引き起こしてカード保持体を起立状態に載置している。（例えば、特許文献１参照。）
【先行技術文献】
【特許文献】
【０００３】
【特許文献１】特開平１０−２１５９９０号公報
【発明の概要】
【発明が解決しようとする課題】
【０００４】
従来の保持板はアクリル板などの樹脂板を使用するので、地球環境に負荷となる。また、樹脂板を細工するには、接着剤などの補助部材を使用することがあり、補助部材は環境に負荷となるとともに、製造コストが上がる。
【０００５】
所定形状の厚紙でフレームなどの部品を作り、これを組み立てる保持板も考えられる。しかし、フレームから表示紙が容易に外れないように、フレームに表示紙を強固に固定するという要求を満たし、同時に、積層された複数の表示紙を手早く確認するために、フレームから表示紙の脱着を容易にするという要求を満たす必要がある。
【０００６】
さらに、保持板はノベルティに採用されることも多く、組み立てや使用にあたり遊び心を刺激できれば、一層好ましい物になる。
【０００７】
そこで、解決しようとする課題は、環境に優しい保持板を提供することにある。また、フレームと表示紙の固定にあたり、強固に保持されるとともに、フレームから表示紙の脱着が容易な保持板を提供することにある。さらに、組み立てや使用にあたり遊び心を刺激する保持板を提供することにある。
【０００８】
本発明の他の課題は、環境に優しく、表示紙が強固に保持されるとともに脱着が容易で、遊び心を刺激する保持板用途の組立て部品を容易に得ることができる板紙を提供することにある。
【０００９】
本発明のその他の課題は、本発明の説明により明らかになる。
【課題を解決するための手段】
【００１０】
以下に課題を解決するための手段を述べる。理解を容易にするために、本発明の実施態様に対応する符号を付けて説明するが、本発明は当該実施態様に限定されるものではない。
【００１１】
本発明の一の態様にかかる保持板は、
フレームを用いて表示紙を起立状態に保持する保持板において、
一枚の板紙（２）と少なくとも一枚の表示紙（３）から成り、
前記板紙は四の端辺に囲まれ、
前記表示紙は四の辺に囲まれ、
前記板紙から、一対の脚板（２１）と一対の腕板（２６）を切り抜き形成し、前記切り抜きは前記板紙の四の端辺（６１、６２、６３と６４）を残して行われ、
前記板紙の残余をフレーム（６）とし、
前記フレームは、下端辺（６１）から上方向に向かう幅狭切り抜きである一対の脚支持溝（６５、６６）と、
その上端辺の中央点よりも右側の上端辺から右下方向に向かう幅狭切り抜きである右腕支持溝（６７）と、
その上端辺の中央点よりも左側の上端辺から左下方向に向かう幅狭切り抜きである左腕支持溝（６８）を持ち、
脚板（２１）は周縁から内側方向にＬ字形に切り抜かれていて、前記Ｌ字形の縦線部分は脚固定溝（２２）であり、前記Ｌ字形の横線部分は下辺係止部（２３）であり、
腕板（２６）は周縁から内側方向にＬ字形に切り抜かれていて、前記Ｌ字形の縦線部分は腕固定溝（２７）であり、前記Ｌ字形の横線部分は上辺係止部（２８）であり、
前記一対の脚支持溝に前記一対の脚板の脚固定溝をそれぞれ差し込んで、前記脚板の平面が前記フレームの表裏方向と交差する状態に保持し、かつ、前記下辺係止部を前記フレームの表側に位置付け、
前記右腕支持溝と前記左腕支持溝に一対の腕板の腕固定溝をそれぞれ差し込んで、前記腕板の平面が前記フレームの表裏方向と交差する状態に保持し、かつ、前記上辺係止部を前記フレームの表側に位置付け、
前記一対の下辺係止部と一対の上辺係止部に前記表示紙の下辺（３１）と上辺（３２）を係止した。
【００１２】
本発明の好ましい実施態様において、保持板は、前記一対の下辺係止部を結ぶ下辺仮想線（７１）と前記一対の上辺係止部を結ぶ上辺仮想線（７２）の間隔をｉとし、前記表示紙板の縦長さをｋとしたとき、ｉとｋが式（１）の関係を満足するものであってもよい。
【００１３】
１．０２≦ｋ／ｉ≦１．０５        式（１）
【００１４】
本好ましい実施態様によれば、表示紙は湾曲してフレームに固定される。表示紙の復元力が、常時、下辺係止部と上辺係止部の間隔を広げる方向に働くから、表示紙はフレームに一層強固に固定される。とはいえ、表示紙を湾曲させるために必要な力は弱く、弱い力を加えて表示紙をより以上に湾曲させれば、フレームから表示紙を容易に脱着させることができる。
【００１５】
本発明の他の好ましい実施態様において、保持板は、前記腕板（２６）の外形が円形であってもよい。
【００１６】
本好ましい実施態様によれば、腕板が小さくても、板紙から抜き取る作業時に不均等な力がかかり変形する事態を防ぐことができる。よって、保持板の組み立て作業がより一層楽しいものになる。この作用効果は、フレームや表示紙のサイズが、Ａ５、Ａ６、Ｂ５、Ｂ６およびこれらに近いサイズである場合に、一層強く発現される。
【００１７】
本発明の他の好ましい実施態様において、前記板紙が矩形であり、前記表示紙が矩形であってもよい。
【００１８】
本好ましい実施態様は、保持板と表示紙として、もっとも汎用される矩形の保持板と矩形の表示紙となる態様である。
【００１９】
本発明の他の態様である板紙は、表示紙を起立状態に保持する保持板の組立て部品であるフレーム、脚板と腕板を提供する板紙において、
四の端辺に囲まれた一枚の板紙からなり、
前記板紙は、下端辺から上方向に向かう幅狭切り抜きである一対の脚支持溝と、
その上端辺の中央点よりも右側の上端辺から右下方向に向かう幅狭切り抜きである右腕支持溝と、
その上端辺の中央点よりも左側の上端辺から左下方向に向かう幅狭切り抜きである左腕支持溝を持ち、
前記板紙の四の端辺を残して、一対の脚板の輪郭線である切り抜き加工線と一対の腕板の輪郭線である切り抜き加工線を形成し、前記切抜き加工線はその一部に非切断部分を有し、
前記脚板は周縁から内側方向にＬ字形に切り抜かれていて、前記Ｌ字形の縦線部分は前記脚支持溝と嵌合する脚固定溝であり、前記Ｌ字形の横線部分は下辺係止部であり、
前記腕板は周縁から内側方向にＬ字形に切り抜かれていて、前記Ｌ字形の縦線部分は前記右腕支持溝又は左腕支持溝と嵌合する腕固定溝であり、前記Ｌ字形の横線部分は上辺係止部であり、
前記非切断部分を切り離して一対の脚板と一対の腕板を得て、さらに板紙の残余部分であるフレームを得て、前記フレーム、一対の前記脚板と一対の前記腕板を組み立てることにより、一対の前記下辺係止部と一対の前記上辺係止部からなる表示紙保持部分を提供する。
【００２０】
本発明の好ましい実施態様において、前記板紙は矩形であってもよい。
【００２１】
本好ましい実施態様によれば、保持板としてもっとも汎用される矩形の保持板用途の組立て部品がより一層容易に提供される。
【００２２】
以上説明した本発明、本発明の好ましい実施態様、これらに含まれる構成要素は可能な限り組み合わせて実施することができる。
【発明の効果】
【００２３】
本発明にかかる保持板は、その他の構成要素とともに、一枚の板紙と表示紙から成り、腕固定溝が傾斜して形成されていて、また、脚板と腕板が切り抜き形成された残余の板紙をフレームとしている。
【００２４】
保持板が全て紙から出来ていて、接着剤などの補助部材が不要であるから環境に優しく、製造や廃棄コストが低廉になる。また、腕固定溝が傾斜して形成されているので、表示紙のフレームへの固着と脱着時に腕板に作用する上方向への力に対抗力が大きくなる。このため、全体が紙で作成されているにも拘わらず、表示紙がフレームに強固に保持されるとともに、フレームから表示紙の脱着が容易となる。さらに、脚板と腕板の外形を任意に定めることができ、かつ、切り抜き穴がフレームに保持されているので、遊び心を刺激する保持板となる。
【００２５】
本発明の他の態様にかかる板紙は、その他の構成要素とともに、一枚の板紙から成り、脚板輪郭線と腕板輪郭線が切り抜き加工されていて、また、脚支持溝、腕支持溝などが形成されているので、切り抜き後の残余部がそのままフレームとなる。したがって、環境に優しく、表示紙が強固に保持されるとともに脱着が容易で、遊び心を刺激する保持板用の組立て部品を容易に得ることができる板紙である。さらに、平板状であるから、輸送や保管が容易である。
【図面の簡単な説明】
【００２６】
【図１】図１は保持板１の斜視図である。
【図２】図２は板紙２の平面図である。
【図３】図３は脚板２１と腕板２６の平面図である。
【図４】図４は表示紙３の平面図である。
【発明を実施するための形態】
【００２７】
以下、図面を参照して本発明の実施例にかかる保持板をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２８】
保持板１は、フレームと、一対の脚板２１、一対の腕板２６と単一または複数の表示紙３からなる。表示紙３は、カレンダの月毎のカードやその他のカード、写真、絵画、絵葉書などである。
【００２９】
表示紙３は下辺３１、上辺３２、右辺３３と左辺３４の四の辺に囲まれている。
【００３０】
一対の脚板２１、一対の腕板２６は、一枚の矩形の板紙２から切り抜き形成される。通常、板紙２に切り抜き加工をし、当該加工時に切り抜き線の一部を非切断部（アンカー部）として残しておく。その後、非切断部を切り離せば、切り抜きができる。
【００３１】
板紙２は矩形である。表示紙３は矩形である。ここで矩形には、長方形と正方形が含まれる。また、矩形には１個乃至４個の隅の角を曲線にした矩形も含まれる。
【００３２】
板紙２からの脚板と腕板の切り抜き形成は、板紙の四の端辺を残して行われる。換言すれば、脚板の周縁及び腕板の周縁は、板紙の周囲線と重ならない。これにより、板紙の残余部分であるフレーム６は、フレームとして要求される強度を備えることができる。
【００３３】
板紙２における脚板と腕板の切り抜き加工線は、板紙２の中央に近い部分に形成される。また、一対の脚板２１と一対の腕板２６は、好ましくは板紙に対して左右対称かつ上下対称、より好ましくは中心点に対称であって、左右対称かつ上下対称に配置される。こうすれば、切り抜き加工時に切り抜き刃が板紙の紙面に均等に当たり、多数の製品に切り抜き線が安定して形成され、また、加工刃の耐久性が増すからである。
【００３４】
板紙２の周囲線はすなわちフレーム６の周囲線である。板紙２は下端辺６１、上端辺６２１、右端辺６３と左端辺６４の四の端辺に囲まれている。
【００３５】
フレーム６は下端辺６１から上方向に向かう幅狭切り抜きである一対の脚支持溝６５、６６を有する。
【００３６】
フレーム６は上端辺６２の中央点（矢印６２１で示す）よりも右側の上端辺６２から右下方向に向かう幅狭切り抜きである右腕支持溝６７を有する。フレーム６は上端辺６２の中央点（矢印６２１で示す）よりも左側の上端辺６２から左下方向に向かう幅狭切り抜きである左腕支持溝６８を有する。つまり、右腕支持溝６７と左腕支持溝６８はフレームの表面から見てハの字形状に形成されている。
【００３７】
脚板２１は周縁から内側方向にＬ字形に切り抜かれている。Ｌ字形の縦線部分は脚固定溝２２であり、Ｌ字形の横線部分は下辺係止部２３である。換言すれば、周縁から内側に切り込まれた長さの長い溝が脚固定溝２２である。脚固定溝２２の一の長辺の一部を共有する周縁から内側に切り込まれた短い溝が下辺係止部２３である。
【００３８】
脚固定溝２２がフレーム６をつかむ部分である。下辺係止部２３は表示紙３の下辺を押さえる部分である。
【００３９】
脚固定溝２２は、脚板の周縁で保持板の下辺となる辺に対して斜めに切り込まれている。このため、保持板は起立時に仰角を持つ。
【００４０】
腕板２６は周縁から内側方向にＬ字形に切り抜かれている。Ｌ字形の縦線部分は腕固定溝２７であり、Ｌ字形の横線部分は上辺係止部２８である。換言すれば、周縁から内側に切り込まれた長さの長い溝が腕固定溝２７である。腕固定溝２７の一の長辺の一部を共有する周縁から内側に切り込まれた短い溝が上辺係止部２８である。
【００４１】
腕固定溝２２がフレーム６をつかむ部分である。上辺係止部２８は表示紙３の下辺を押さえる部分である。
【００４２】
脚板と腕板の外形は任意に定めることができる。例えば、動物、抽象型など任意である。これらは、保持板の脚と腕として視覚対象となるとともに、フレームに抜き跡として残るので、折にふれ視覚対象となり、遊び心が刺激される。
【００４３】
一方、腕板は小さくなることがあり、小さくなれば外形を円形にすることが好ましい。抜き取り板が小さくなれば、板紙から抜き取る作業時に、不均等な力がかかり抜き取り板が変形する事態が生じる。腕板を円形にすれば不均等な力を抑制できるからである。
【００４４】
つづいて、保持板１の組み立て方法を説明する。フレーム６の右脚支持溝６５に一の脚板２１の脚固定溝２２を差し込む。この時、脚板２１の平面がフレーム６の表裏方向と交差する状態に保持し、かつ、下辺係止部２３を前記フレームの表側に位置付ける。
【００４５】
同様に、フレーム６の左脚支持溝６６に他方の脚板２１の脚固定溝２２を差し込む。この時、脚板２１の平面がフレーム６の表裏方向と交差する状態に保持し、かつ、下辺係止部２３を前記フレームの表側に位置付ける。
【００４６】
フレーム６の右腕支持溝６７に一の腕板２６の腕固定溝２７を差し込む。この時、腕板２６の平面がフレーム６の表裏方向と交差する状態に保持し、かつ、上辺係止部２８をフレームの表側に位置付ける。
【００４７】
同様に、フレーム６の左腕支持溝６８に他の腕板２６の腕固定溝２７を差し込む。この時、腕板２６の平面がフレーム６の表裏方向と交差する状態に保持し、かつ、上辺係止部２８をフレームの表側に位置付ける。
【００４８】
右腕支持溝６７と左腕支持溝６８はフレームの表面から見てハの字形状に形成されているから、腕板に負荷される下から上方向に向かう力は、右腕支持溝６７と左腕支持溝６８に受け止められる。このため、表示紙を強固に固定できる。また、下端辺６１に垂直に形成されている右脚固定溝６５、左脚固定溝６６と比較して、右腕支持溝６７と左腕支持溝６８は短くすることができる。
【００４９】
組立てられたフレーム、脚板と腕板からなる台において、一対の下辺係止部２３と一対の上辺係止部２８は表示紙保持部分を形成する。
【００５０】
当該フレームに表示紙３を固定する。固定は一対の下辺係止部２３と一対の上辺係止部２８に表示紙３の下辺３１と上辺３２を係止して行う。
【００５１】
一対の下辺係止部を結ぶ下辺仮想線７１と一対の上辺係止部を結ぶ上辺仮想線７２の間隔をｉとする。一方、表示紙３の縦長さをｋとする。ｋは下辺３１と上辺３２の間隔である。ｉとｋが式（１）の関係を満足する。
【００５２】
１．０２≦ｋ／ｉ≦１．０５        式（１）
【００５３】
下辺・上辺仮想線間の間隔よりも表示紙３の縦長さが長いので、表示紙は湾曲状態にして、フレームの前面から固定と脱着を行う。
【００５４】
以上説明した実施の形態では、表示紙はその外形が矩形に形成されている。しかし、表示紙は、脚板と腕板により所定の位置に保持できれば、四の辺に囲まれるその他の形状であってもよい。
【００５５】
また、板紙はその外形が矩形に形成されている。しかし、板紙はフレームとして機能し、脚板と腕板を組み立てることができれば、四の端辺に囲まれその他の形状であってもよい。
【００５６】
このような表示紙と板紙の四の（端）辺に囲まれる形状として、矩形に付け加えて、台形、平行四辺形、菱形などを上げることができる。これらの辺は直線であってもよく、曲線であってもよい。例えば、右と左の辺が中央部でくびれた鼓形、右と左の辺が中央部で張り出した樽形、これらを９０度回転させた形状、４の辺がその中央部でくびれた長方形、４の辺がその中央部で張り出した長方形も含まれる。また、上（端）辺、下（端）辺は波状、鋸歯状などであってもよい。
【００５７】
さらに、右（端）辺、左（端）辺は、脚板や腕板、これらによる保持の影響を受けないので、意匠により、自由に決定することができる。
【００５８】
また、本発明において、四の（端）辺に囲まれる形状には、円、半円、楕円、半楕円、六角形、八角形なども含まれる。
【００５９】
板紙はフレームとなるので、鉛直状態に自立しうる以上の剛性が必要である。例えば、フレームの大きさをＡ５程度にする場合には、厚さ１．２ｍｍ（♯１２０）から厚さ１．６ｍｍ（♯１６０）のボード紙を用いることが適当である。
【００６０】
本発明は、以下に述べる態様で実施してもよい。
(1) 板紙から一対の脚板と一対の腕板を切り抜き形成するとき、紙板に形成される切り抜き線が板紙に対して左右対称であり、かつ、板紙に対して上下対称にしてもよい。
(2) 本発明の一の態様である板紙と少なくとも一枚の表示紙からなるセットであってもよい。
【符号の説明】
【００６１】
１    保持板
２    板紙
３    表示紙
６    フレーム
２１  脚板
２２  脚固定溝
２３  下辺係止部
２６  腕板
２７  腕固定溝
２８  上辺係止部
３１  下辺
３２  上辺
３３  右辺
３４  左辺
６１  下端辺
６２  上端辺
６３  右端辺
６４  左端辺
６５  右脚支持溝
６６  左脚支持溝
６７  右腕支持溝
６８  左腕支持溝
７１  下辺仮想線
７２  上辺仮想線
【図１】
2010194234.tif 000003
【図２】
2010194234.tif 000004
【図３】
2010194234.tif 000005
【図４】
2010194234.tif 000006